(57)【要約】【課題】選択した圧縮度合により画像データを圧縮し選択したファイルフォーマットで保存することができる画像読取装置および画像読取方法を提供する。【解決手段】文字を文字圧縮方式により画像を画像圧縮方式により圧縮して一つの保存ファイルとして保存するためのファイルフォーマットを複数用意して選択し、第１の圧縮度合と第２の圧縮度合のうち一つを選択する選択部と、第１の圧縮度合が選択された場合、画像圧縮方式を選択されたファイルフォーマットに拘らずに定め、第２の圧縮度合の場合、画像圧縮方式を選択されたファイルフォーマットにおいて利用可能な画像圧縮方式に定めて画像を圧縮する画像圧縮部と、画像圧縮データと文字圧縮データとをファイルフォーマットでひとつの保存ファイルに変換するフォーマット変換部をもつ画像読取装置。【選択図】図１
2010028798.tif 000002
【特許請求の範囲】
【請求項１】
文字を文字圧縮方式により画像を画像圧縮方式により圧縮してひとつの保存ファイルとして保存するためのファイルフォーマットを複数用意して一つを選択し、第１の圧縮度合と前記第１の圧縮度合よりも高圧縮である第２の圧縮度合を用意して一つを選択する選択部と、
前記選択部で選択された圧縮度合が前記第１の圧縮度合である場合には前記画像圧縮方式を前記選択されたファイルフォーマットに拘らずに定め、前記選択部で選択された圧縮度合が前記第２の圧縮度合である場合には前記画像圧縮方式を前記選択されたファイルフォーマットにおいて利用可能な画像圧縮方式に定め、定めた画像圧縮方式で前記画像を圧縮して画像圧縮データを出力する画像圧縮部と、
前記文字を前記文字圧縮方式に従い圧縮して文字圧縮データを出力する文字圧縮部と、
前記画像圧縮データと前記文字圧縮データとを前記ファイルフォーマットでひとつの保存ファイルに変換するフォーマット変換部と、
を具備することを特徴とする画像読取装置。
【請求項２】
前記第１の圧縮度合が示すファイルサイズは、前記複数のファイルフォーマットに共通して使用できるファイルサイズであることを特徴とする請求項１記載の画像読取装置。
【請求項３】
前記複数のファイルフォーマットは、ＰＤＦまたはＸＰＳの少なくとも一方であることを特徴とする請求項１記載の画像読取装置。
【請求項４】
前記画像データを受けて、２値文字画像、文字の色情報、多値文字画像の内の少なくとも一つを出力する画像変換部を更に有することを特徴とする請求項１記載の画像読取装置。
【請求項５】
前記画像圧縮部は、前記選択部が前記第１の圧縮度合を選択した場合、複数のファイルフォーマットに共通して使用可能な圧縮方式を用いることを特徴とする請求項１記載の画像読取装置。
【請求項６】
前記画像圧縮部が前記選択部が前記第１の圧縮度合を選択した場合に用いる複数のファイルフォーマットに共通して使用可能な圧縮方式とは、ＪＰＥＧであることを特徴とする請求項５記載の画像読取装置。
【請求項７】
文字を文字圧縮方式により、画像を画像圧縮方式により圧縮してひとつの保存ファイルとして保存するためのファイルフォーマットを複数用意して一つを選択し、
第１の圧縮度合と前記第１の圧縮度合よりも高圧縮である第２の圧縮度合を用意して一つを選択し、
前記選択された圧縮度合が前記第１の圧縮度合である場合には前記画像圧縮方式を前記選択されたファイルフォーマットに拘らずに定め、
前記選択された圧縮度合が前記第２の圧縮度合である場合には前記画像圧縮方式を前記選択されたファイルフォーマットにおいて利用可能な画像圧縮方式に定め、
定めた画像圧縮方式で前記画像を圧縮して画像圧縮データを出力し、
前記文字を前記文字圧縮方式に従い圧縮して文字圧縮データを出力し、
前記画像圧縮データと前記文字圧縮データとを前記ファイルフォーマットでひとつの保存ファイルに変換する画像読取方法。
【発明の詳細な説明】
【技術分野】
【０００１】
本発明は、画像を複数の圧縮方式で一つのフォーマットに保存するためのフォーマットを任意に選択することができる画像読取装置および画像読取方法に関する。
【背景技術】
【０００２】
画像情報は、大容量となるため、一般に圧縮を行なった上で保存・使用している。特に、カラー画像等では、ＤＣＴをベースとしたＪＰＥＧが普及しており、ウェーブレット変換をベースとしてＪＰＥＧ２０００も規格化されている。
【０００３】
しかし、これらの技術は何れも写真画像を主要な対象としており、オフィス等における文書画像に対しては必ずしも十分な性能を発揮できていない。ここで、ＭＦＰ（Multifunction Peripherals）等では、カラードキュメントの増加と共に、情報量の多いカラードキュメントを読み取ったカラー画像データを手軽に利用したいという要望が高まってきており、このような要望に応じた画像圧縮のアプリケーションとして、高圧縮ＰＤＦが知られている。また、文書画像に対処する方式として画像を写真か文字かに分けてそれぞれに適した圧縮方式を適用する技術が考案されている。
【０００４】
特許文献１は、画像を文字と非文字の領域に分離し、それぞれに適した圧縮を行うが圧縮率を高めるために、非文字領域を１枚の画像として圧縮するために、文字領域を周囲の画素値で埋めることで文字領域を除去する技術を開示している。
【０００５】
特許文献２は、後述する図１３（ａ）のように画像中の文字領域を抽出し、文字領域画像と文字領域を取り除いた写真領域画像を生成し、文字領域には領域毎に文字代表色を算出し、２値の形状情報と代表色に分離し、形状情報・写真領域画像それぞれに適した圧縮を行なうフォーマットに関連する技術を開示している。
【０００６】
特許文献３は、後述する図１３（ｂ）のように画像中の文字領域を抽出し、文字領域画像と文字領域を取り除いた写真領域画像を生成し、文字領域には文字領域を示す２値の形状情報と文字領域の色を表す情報に分離し、形状情報、文字領域の色情報、写真領域画像それぞれに適した圧縮を行うフォーマットに関連する技術を開示している。
【０００７】
特許文献４は、後述する図１３（ｃ）のように画像中の文字領域を抽出し、文字領域画像と文字領域を取り除いた写真領域画像を生成し、文字領域には文字領域の色毎に２値の形状情報を生成し、各色の２値形状情報、写真領域画像それぞれに適した圧縮を行なうフォーマットに関連する技術を開示している。
【０００８】
特許文献５は、カラー画像を輝度と色差に変換し、輝度情報に関して文字と写真領域に応じて解像度と階調数を切り替えて固定長符号化してメモリに格納し、ＨＤＤ等に格納するときは可変長符号化を行なう構成を開示している。
【０００９】
非特許文献１も、特許文献１乃至４のような複数の圧縮方式を混在させた画像の具体的なフォーマット規格である、ＩＳＯ／ＩＥＣ１６４８５ＭＲＣ（Mixed Raster Contents）の圧縮方法を開示している。
【００１０】
また、非特許文献２は、特許文献１乃至４のような複数の圧縮方式を混在させた画像の具体的なアプリケーションである、『高圧縮ＰＤＦ技術』を開示している。ＰＤＦは（Portable Document Format）は米Adobe Systems社が策定したファイルフォーマット仕様で、ＰＤＦ Reference, Sixth Edition:
http://partners.adobe.com/public/developer/en/ＰＤＦ/ＰＤＦReference１６.ＰＤＦ
専用Readerが無償で公開されており、文書フォーマットのデファクトスタンダートとなっており、本仕様に沿って画像ファイルを作成・提供することでユーザはＰＤＦの閲覧できる環境かどうかだけ意識するだけで、単純な画像ファイル（例えばＪＰＥＧがラッピングされたＰＤＦ）か高圧縮ＰＤＦかを意識することなく取り扱うことができる。
【００１１】
また、非特許文献３は、このような文書フォーマットとして、米Microsoftから公開されているＸＰＳ（ＸＭＬ Paper Specification Version １.０）を開示するものである。ＸＰＳでも画像を部品化して取り扱えるため高圧縮ＸＰＳといったアプリケーションが提供可能である。
【００１２】
また、非特許文献４は、ＸＰＳで使用できる新規圧縮技術として、米Microsoftから公開されているＨＤ Ｐｈｏｔｏ（HD Photo  Device Porting Kit １.０）を開示している。
【発明の概要】
【発明が解決しようとする課題】
【００１３】
しかしながら、非特許文献２および非特許文献３で示されるＰＤＦやＸＰＳは、取り扱える文法や画像部品が異なるため、高圧縮ＰＤＦ、高圧縮ＸＰＳという、ユーザにとっては取り扱うファイルフォーマットの違いだけにも関わらず、高圧縮画像ファイルという共通の機能を提供する場合、フォーマット作成に装置内部で使用される技術の違いにより高圧縮ファイルの画質などが異なるため最終的にユーザが混乱する恐れがある。また、高圧縮ＰＤＦおよび高圧縮ＸＰＳの一方を任意に使用したり、圧縮度合を指定して、ＪＰＥＧ、ＨＤ Ｐｈｏｔｏ、ＪＰＥＧ２０００等の異なる画像圧縮方式を使用したいとしてもアプリケーションが対応できないという問題がある。
【００１４】
本発明は、複数のファイルフォーマットおよび複数の圧縮度合から選択し、画像データを選択した圧縮度合で圧縮し選択したファイルフォーマットで保存することができる画像読取装置および画像読取方法を提供することを目的とする。
【課題を解決するための手段】
【００１５】
課題を解決する一実施形態は、
文字を文字圧縮方式により画像を画像圧縮方式により圧縮してひとつの保存ファイルとして保存するためのファイルフォーマット（ＰＤＦ，ＸＰＳ）を複数用意して一つを選択し、第１の圧縮度合と前記第１の圧縮度合よりも高圧縮である第２の圧縮度合を用意して一つを選択する選択部（１７）と、
前記選択部で選択された圧縮度合が前記第１の圧縮度合である場合には前記画像圧縮方式を前記選択されたファイルフォーマットに拘らずに定め、前記選択部で選択された圧縮度合が前記第２の圧縮度合である場合には前記画像圧縮方式を前記選択されたファイルフォーマットにおいて利用可能な画像圧縮方式に定め、定めた画像圧縮方式で前記画像を圧縮して画像圧縮データを出力する画像圧縮部（１４，１５）と、
前記文字を前記文字圧縮方式に従い圧縮して文字圧縮データを出力する文字圧縮部と、
前記画像圧縮データと前記文字圧縮データとを前記ファイルフォーマットでひとつの保存ファイルに変換するフォーマット変換部（１６）と、
を具備することを特徴とする画像読取装置である。
【発明の効果】
【００１６】
操作画面上から、例えばＰＤＦ、ＸＰＳ等のファイルフォーマットを任意に選択し、圧縮度合を任意に選択することで、圧縮度合に応じた例えばＪＰＥＧ，ＪＰＥＧ２０００，ＨＤ Ｐｈｏｔｏ等の画像圧縮方式で画像を圧縮し、選択したファイルフォーマットに保存することができる画像読取装置および画像読取方法を提供する。
【図面の簡単な説明】
【００１７】
【図１】本発明の第１実施形態の画像読取装置の構成の一例を示すブロック図。
【図２】当該画像読取装置の識別部１２の構成の一例を示すブロック図。
【図３】当該画像読取装置の画像変換部１３の構成の一例を示すブロック図。
【図４】当該画像読取装置の識別部１２及び画像変換部１３の動作説明図。
【図５】当該画像読取装置の第１画像圧縮部１４の構成の一例を示すブロック図。
【図６】当該画像読取装置の第２画像圧縮部１５の構成の一例を示すブロック図。
【図７】当該画像読取装置のフォーマット指示部１７の一例の説明図。
【図８】当該画像読取装置のフォーマット指示部１７の動作の一例の説明図。
【図９】本発明の第２実施形態の画像読取装置の構成の一例を示すブロック図。
【図１０】当該画像読取装置の画像変換部１３’の構成の一例を示すブロック図。
【図１１】当該画像読取装置の画像変換部１３’の動作の一例の説明図。
【図１２】当該画像読取装置の第３画像圧縮部１８の構成の一例を示すブロック図。
【図１３】一般的な高圧縮ファイルの処理の一例を説明する説明図。
【図１４】当該画像読取装置のフォーマット指示部１７の動作の一例の説明図。
【発明を実施するための形態】
【００１８】
以下、この発明の実施の形態について図面を参照して詳細に説明する。  
本発明の一実施形態に係る画増読取装置は、選択ファイルフォーマットに関わらず高圧縮化に使用する圧縮技術や画像変換技術を共通使用することで、ユーザを混乱させること無く複数のファイルフォーマットでの高圧縮ファイルの提供を可能にする。
【００１９】
また、複数の高圧縮ファイルフォーマットの間で共通に使用可能な圧縮方式をデフォルトとして使用するため、ファイルフォーマット選択時に、ユーザが圧縮方式の選択に混乱するということがない。
【００２０】
また、ファイルサイズを考慮して通常圧縮と高圧縮を任意に選択することができる。これにより、高圧縮を選択した場合は、選択されたファイルフォーマットで利用できる圧縮方式を選択することができ、選択された圧縮方式で画像を高圧縮して保存することが可能になる。ここで、選択可能な圧縮方式として、ＪＰＥＧ、ＪＰＥＧ２０００、ＨＤ Ｐｈｏｔｏ、ＭＭＲ、ＪＰＥＧ２、Ｆｌａｔｅ等が可能である。
【００２１】
（第１実施形態）
図１は本発明の第１実施形態の画像読取装置の構成の一例を示すブロック図である。本発明に係る第１実施形態の画像読取装置１は、全体の動作を制御する制御部１０と、原稿等の画像を読み取って出力するスキャナ等の画像入力部１１と、画像入力部１１から供給される画像信号ｍ１を識別処理する識別部１２と、識別信号ｍ２が供給される画像変換部１３と、画像変換部１３から第１の画像信号ｍ４が供給される第１画像圧縮部１４と、画像変換部１３から第２の画像信号ｍ５が供給される第２画像圧縮部１５を有している。
【００２２】
さらに、画像読取装置１は、画像変換部１３から文字の色と座標を示す画像信号ｍ３が供給され、第１画像圧縮部１４から第１の圧縮コードｍ６が供給され、第２画像圧縮部１５から第２の圧縮コードｍ７が供給され、所望の画像フォーマットの高圧縮ファイルｍ９を出力するフォーマット変換部１６と、フォーマット変換部１６に指示信号ｍ８を供給するフォーマット指示部１７を有している。
【００２３】
このような構成をもつ画像読取装置１の制御部１０の制御下において、画像の読取処理について図面を用いて以下に詳細に説明する。識別部１２は、画像入力部１１から入力された画像信号ｍ１に基づき、既知の識別技術を用いて文字／非文字を識別して文字を‘２５５’、非文字を‘０’として識別信号ｍ２を出力する。画像変換部１３は、画像信号ｍ１と識別信号ｍ２を用いて、第１の画像信号ｍ４と第２の画像信号ｍ５に分離し、文字の色と座標を示す画像信号ｍ３も合わせて出力する。
【００２４】
第１画像圧縮部１４においては第１の画像信号ｍ４を、第２画像圧縮部１５では第２の画像信号ｍ５を夫々異なる圧縮方式で圧縮して、第１の圧縮コードｍ６と第２の圧縮コードｍ７を得る。フォーマット変換部１６は、第１の圧縮コードｍ６及び第２の圧縮コードｍ７と画像信号ｍ３を用いて、所望の画像フォーマットの高圧縮ファイルｍ９を得る。ここでフォーマット指示部１７は、高圧縮ファイルの圧縮フォーマット（ＰＤＦまたはＸＰＳ）と圧縮率（高圧縮、標準、低圧縮）の選択に応じて、第１画像圧縮部１４、第２画像圧縮部１５、フォーマット変換部１６に、選択に対応する指示信号ｍ８を与える。
【００２５】
次に、図２は、当該画像読取装置の識別部１２の構成の一例を示すブロック図であり、文字領域を識別するものである。識別部１２は、図２に示すように、画像信号ｍ１が供給されるＤ−ＦＦ（data flip flop）２１と、Ｄ−ＦＦ２２と、Ｄ−ＦＦ２２の後段のＤ−ＦＦ２３と、画像信号ｍ１およびＤ−ＦＦ２１の出力およびＤ−ＦＦ２３の出力の平均化処理を行なう平均化部２４と、平均化部２４の３画素の平均ｍ１１を受けるレベル判定回路２７と、３画素の平均ｍ１１とＤ−ＦＦ２１の出力の差分をとる差分回路２５を有している。さらに、識別部１２は、差分回路２５の差分信号ｍ１２を受けるＤ−ＦＦ２６と、レベル判定回路２７ら供給されるレベル判定信号ｍ１５とＤ−ＦＦ２６の出力ｍ１４を受けてアンド処理を行ない識別信号ｍ２を出力する合成部２８を有している。
【００２６】
これらの構成をもつ識別部１２においては、画像信号ｍ１はＤ−ＦＦ２１，２２によって保持され、平均化部２４により３画素の平均ｍ１１が供給される。３画素平均と中心画素との差分を差分回路２５で求め、差分がプラス、すなわち低濃度→高濃度に変化したときは、閾値ｍ１３を‘１’出力、差分がマイナスすなわち高濃度→低濃度に変化した時は‘０’を判定信号ｍ１２として出力する。Ｄ−ＦＦ２６は、差分信号ｍ１２をクロックとしても入力するため、変化した時の値を次の変化まで保持する。すなわち、Ｄ−ＦＦ２６の出力ｍ１４は低濃度→高濃度に変化して、高濃度→低濃度変化するまで‘１’を、高濃度→低濃度変化後は、再び低濃度→高濃度変化するまで‘０’を出力する。
【００２７】
レベル判定回路２７は閾値ｍ１３と平均ｍ１１を比較し、所定濃度以上であればレベル判定信号ｍ１５として‘１’を、それ以外は‘０’を出力する。合成部２８は出力ｍ１４とレベル判定信号ｍ１５のアンドを識別信号ｍ２として出力する。
【００２８】
すなわち、一般的な文字の性質である、低濃度→高濃度、高濃度→低濃度範囲内の所定濃度以上の画素値が文字‘１’として出力される。
【００２９】
次に、図３は当該画像読取装置の画像変換部１３の構成の一例を示すブロック図である。画像変換部１３は、識別信号ｍ２が供給される連続画素探索部３１と、画像信号ｍ１と識別信号ｍ２と連続画素探索部３１からの文字領域座標ｍ３−２を受けて領域の平均値を求める領域平均部３２と、画像信号ｍ１を受けて第２の画像信号ｍ５を出力するＤ−ＦＦ３３と、識別信号ｍ２とクロック信号を受けて出力をＤ−ＦＦ３３に供給する合成部３４を有する。
【００３０】
このような構成をもつ画像変換部１３は、画像信号ｍ１を識別信号ｍ２を用いて第１の画像信号ｍ４と第２の画像信号ｍ５に分離し、画像信号ｍ３を生成する。具体的には、識別信号ｍ２は、そのまま２値の文字信号である第１の画像信号ｍ４として出力され、Ｄ−ＦＦ３３には、識別信号ｍ２の反転信号とクロック信号ＣＬＫのアンドがクロックとして入力される。つまり非文字領域‘０’の範囲の画像信号ｍ１が第２の画像信号ｍ５として出力され、同様に文字領域の場合直前の非文字領域の信号がＤ−ＦＦ３３に保持され、そのまま第２の画像信号ｍ５として出力される。
【００３１】
連続画素探索部３１は、識別信号ｍ２の連続した画素値（‘１’＝文字）を示す領域を既知のチェインアルゴリズムで８方向探索して算出し、連続した文字を四角形の左上、右下座標で表現する文字領域座標ｍ３−２を出力する。
【００３２】
領域平均部３２は、文字領域座標ｍ３−２内で、かつ識別信号ｍ２が‘１’（文字）を示す画像信号ｍ１の画素値の平均を文字色情報ｍ３−１として出力する。図１の画像信号ｍ３は、この文字領域座標ｍ３−２と文字色情報ｍ３−１から構成されている。
【００３３】
次に、本発明の第１実施形態である画像読取装置１における識別信号ｍ２の生成処理、画像変換部１３の処理の一例を図４の説明図を用いて説明する。
【００３４】
図４（ａ）では、画像信号ｍ１に基づき、エッジ信号の低→高、高→低の区間が平均ｍ１１として出力され、単位領域の平均値が閾値より大きかった領域がレベル判定信号ｍ１２として出力され、両者のアンドが識別信号ｍ２として出力される。
【００３５】
図４（ｂ）では、連続画素探索部３１で、識別信号ｍ２に対してチェインアルゴリズムで、連続した領域（この実施形態では文字‘Ａ’）の最小座標と最大座標を探索し、文字領域座標ｍ３−２を得る。
【００３６】
図４（ｃ）の領域平均部３２は、文字領域座標ｍ３−２の範囲の画像信号ｍ１、識別信号ｍ２内で、識別信号ｍ２が‘１’、すなわち文字を示す画素のみの識別信号ｍ２の平均値を算出して、文字色情報ｍ３−１を得る。この実施形態では、当該領域が全て（２５５,０,０)の赤を示していたため、文字色情報ｍ３−１も（２５５,０,０)である。
【００３７】
図４（ｄ）の画像分離処理は、点線は理解を助ける補助線だが、文字領域（識別信号ｍ２が‘１’）の領域は直前の画素値で置き換えられて白に、それ以外の領域は画像信号ｍ１の値がそのまま第２の画像信号ｍ５として出力される。
【００３８】
次に、図５は、当該画像読取装置の第１画像圧縮部１４の構成の一例を示すブロック図である。第１画像圧縮部１４は、図５に示すように、識別信号ｍ４が供給される選択部４１と、選択部４１の出力および画像信号ｍ３が供給されるＭＭＲ圧縮（Modified Modified Read, ITU-T T.６）部４２と、同じく選択部４１の出力および画像信号ｍ３が供給されるＰＮＧ圧縮（Portable Network Graphics,ISO/IEC １５９４８）部４３と、それぞれの出力が接続される選択部４４を有している。
【００３９】
ＭＭＲ圧縮部４２は２値の可逆圧縮処理、ＰＮＧ圧縮部４３は多値の可逆圧縮処理を行なうが、この実施形態では識別信号ｍ４の‘０’を透過、‘１’を文字色情報ｍ３−１として扱い、２値の状態数で圧縮する。
【００４０】
指示信号ｍ８−１が‘０’ならば選択部４１、選択部４４をＭＭＲ圧縮部４２に接続して第１の画像信号ｍ４をＭＭＲ圧縮して第１の圧縮コードｍ６を得る。指示信号ｍ８−１が‘１’ならば同様に選択部４１、選択部４４をＰＮＧ圧縮部４３に接続して第１の画像信号ｍ４をＰＮＧ圧縮して第１の圧縮コードｍ６を得る。この実施形態では、フォーマット変換部１６で、後述する図１３（ａ）のように１枚の多値画像と各色毎の複数枚の２値画像で高圧縮ファイルｍ９を生成するので、より詳細には、画像信号ｍ３の内、文字領域座標ｍ３−２を用いて第１の画像信号ｍ４から所定領域だけ切り出した画像のそれぞれに圧縮処理を行い、複数の第１の圧縮信号ｍ６を出力する。
【００４１】
次に、図６は、当該画像読取装置の第２画像圧縮部１５の構成の一例を示すブロック図である。第２画像圧縮部１５は、図６に示すように、第２の画像信号ｍ５が供給される選択部５１と、選択部５１からの出力を受けるＪＰＥＧ圧縮部５２と、選択部５１からの出力を受けるＪＰＥＧ２０００圧縮部５３と、選択部５１からの出力を受けるＨＤ Ｐｈｏｔｏ圧縮部５４と、ＪＰＥＧ圧縮部５２、ＪＰＥＧ２０００圧縮部５３、ＨＤ Ｐｈｏｔｏ圧縮部５４それぞれの出力を受ける選択部５５を有している。
【００４２】
第２画像圧縮部１５においては、ＪＰＥＧ、ＪＰＥＧ２０００、ＨＤ Ｐｈｏｔｏの何れも多値画像の非可逆圧縮として使用し、指示信号ｍ８−２が‘０’ならば圧縮パラメータｍ８−３をＪＰＥＧ圧縮部５２にセットし、選択部５１、選択部５５をＪＰＥＧ圧縮部５２に接続する。そして、第２の画像信号ｍ５をＪＰＥＧ圧縮して第２の圧縮コードｍ７を出力する。指示信号ｍ８−２が‘１’ならば、圧縮パラメータｍ８−３をＪＰＥＧ２０００圧縮部５３にセットし、選択部５１、選択部５５をＪＰＥＧ２０００圧縮部５３に接続して第２の圧縮コードｍ７を出力する。指示信号ｍ８−２が‘２’ならば圧縮パラメータｍ８−３をＨＤ Ｐｈｏｔｏ圧縮部５４にセットし、選択部５１,選択部５５をＨＤ Ｐｈｏｔｏ圧縮部５４に接続して、第２の圧縮コードｍ７を出力する。
【００４３】
また、フォーマット変換部１６は、フォーマット指示部１７からの指示信号ｍ８に応じて、第１の圧縮コードｍ６（ＭＭＲまたはＰＮＧオブジェクト）と第２の圧縮コードｍ７（ＪＰＥＧまたは、ＪＰＥＧ２０００、ＨＤ Ｐｈｏｔｏオブジェクト）からなる高圧縮ＰＤＦまたは高圧縮ＸＰＳファイルを生成する。
【００４４】
ファイル生成の具体例を述べると、フォーマット指示部１７を図７（ａ）のようにフォーマット指示部１７におけるコントロールパネルで、任意のファイルフォーマット（ＰＤＦかＸＰＳ）と圧縮率（高圧縮、標準、低圧縮）を選択する。
【００４５】
フォーマット指示部１７の内部では、図７（ｂ）に示す情報をテーブルで持っておき、コントロールパネルへの入力の値によって、指示信号ｍ８−１〜４を６通り出力する。
【００４６】
ここで、フォーマット変換部１６へはフォーマットと対象オブジェクトの情報が必要なため指示信号ｍ８−１〜４は全て出力される。
【００４７】
テーブルから明らかなように、第１の圧縮コードｍ６は可逆圧縮の方式が出力ファイルフォーマットに応じて選択されている。第２の圧縮コードｍ７である非可逆圧縮は、高圧縮パラメータが選択されたときだけ、ＰＤＦはＪＰＥＧ２０００、ＸＰＳはＨＤ Ｐｈｏｔｏが選択され、標準や低圧縮の場合はＪＰＥＧが選択されている。
【００４８】
これは、ＰＤＦとＸＰＳでは可逆圧縮で使用できる技術が異なるために、第１の圧縮コードｍ６は、選択フォーマットに従って、ＰＤＦではＪＰＥＧ２０００が、ＸＰＳではＨＤ Ｐｈｏｔｏが選択されている。しかし、非可逆圧縮は高圧縮設定以外は、ＰＤＦとＸＰＳの両フォーマットとも共通の圧縮技術であるＪＰＥＧが選択される構成である。
【００４９】
可逆圧縮は画質に影響が出ないが、非可逆圧縮は圧縮技術の特性によって復号画質が異なる可能性が高い。そこで、標準設定等ではフォーマット選択に関わらず共通の技術を選択して高圧縮ファイルを生成することで、ユーザの無用な混乱を避ける構成を取っている。
【００５０】
例えば、ユーザが従来の単機能であるＪＰＥＧファイル等を使用する場合には、具体的な圧縮技術を意識して機能を選択するが、高圧縮ファイルのフォーマット選択はＰＤＦかＸＰＳという、フォーマットが第一の選択要因であるが、その内部で使用する圧縮方式に関しての優先度は相対的に低いと考えられる。
【００５１】
そのため、本発明で示したように、圧縮率標準モードや装置のデフォルト設定等では高圧縮フォーマットの種別に関わらず共通の圧縮方式であるＪＰＥＧを選択することで、ユーザが混乱することなく高圧縮機能を利用することができる。
【００５２】
この実施形態では、第１の圧縮コードｍ６として識別情報を２値画像とみなし、２値圧縮し、第２の圧縮コードｍ７として多値画像を多値・非可逆圧縮したが、画像の組み合せや組み合せ数、圧縮の組み合せ等もこの実施形態に限定されるわけではない。また、この実施形態では単純に２値画像と多値画像の圧縮コードを組み合せたが、多値画像に関しては縮小後圧縮する構成を取れば、更なる圧縮効果が得られることは明らかである。
【００５３】
上記の実施形態では具体的な圧縮方式そのものはユーザに選択させない構成を例示した。しかし、図８に示すように、一例として制御部１０の設定を行なうことで、圧縮方式も選択肢として表示させる構成を取ることも可能である。図８（ａ）に対して、（ｂ）のように、ＸＰＳをユーザが選択した場合には、選択できないＪＰＥＧ２０００をブラックアウト表示し、（ｃ）のようにＪＰＥＧ２０００をユーザが選択した場合にはＸＰＳをブラックアウト表示し、フォーマットと可能な圧縮方式の関係を考慮してユーザに選択させるインターフェースを持つことも可能である。この場合、ユーザにとってはファイルフォーマットと同様に圧縮方式も重要な場合は、選択肢は増えるものの、ユーザの目的に合った利便性の高い機能を提供することができる。
【００５４】
（第２実施形態）
第２実施形態の画像読取装置２は、第１実施形態の画像変換部１３とは異なる構成の画像変換部１３’を有しており、フォーマット指示部１７からの指示信号ｍ８が画像変換部１３’に入力されることが特徴である。図９は、本発明の第２実施形態の画像読取装置の構成の一例を示すブロック図である。すなわち、第２実施形態の画像読取装置２は、新たに第３画像圧縮部１８が追加されており、フォーマット変換部１６’は、第１の圧縮コードｍ６、第２の圧縮コードｍ７に加えて第３の圧縮コードｍ７−１が供給され、これらの信号に応じて高圧縮ファイルｍ９を生成する点が第１実施形態とは異なっている。
【００５５】
また、図１０は画像変換部１３’の構成の一例を示すブロック図である。画像変換部１３’は、第１実施形態の画像変換部１３に対して、画像ｍ１が供給されるＤ−ＦＦ６１が追加され、文字色画像ｍ３−３が生成され、指示信号ｍ８の指示に従って、文字色情報ｍ３−１と文字領域座標ｍ３−２か文字色画像ｍ３−３が選択部６３により選択されて、文字情報ｍ３として出力される点が第１実施形態と異なっている。
【００５６】
すなわち、画像変換部１３’は図１０において、識別信号ｍ２が供給される連続画素探索部３１と、画像信号ｍ１と識別信号ｍ２と連続画素探索部３１からの文字領域座標ｍ３−２を受けて領域の平均値を求める領域平均部３２と、画像信号ｍ１を受けて文字色画像ｍ３−３を出力するＤ−ＦＦ６１と、識別信号ｍ２とクロック信号を受けて出力をＤ−ＦＦ３３に供給する合成部６２と、画像信号ｍ１を受けて第２の画像信号ｍ５を出力するＤ−ＦＦ３３と、識別信号ｍ２とクロック信号を受けて出力をＤ−ＦＦ３３に供給する合成部３４と、領域平均部３２からの文字色情報ｍ３−１と連続画素探索部３１からの文字領域座標ｍ３−２とＤ−ＦＦ６１からの文字色画像ｍ３−３を受けて選択信号８−５に従い文字情報ｍ３を出力する選択部６３を有する。
【００５７】
Ｄ−ＦＦ６１は、Ｄ−ＦＦ３３と逆の動作であり、識別信号とクロック信号ＣＬＫのアンドがクロックとして入力されるので、識別結果が文字（＝１）の画像ｍ１は文字色画像ｍ３−３として出力され、識別結果が非文字（＝０）の画素は、１→０に変わる直前の画像ｍ１の値が保持して出力される。
【００５８】
具体的には図１１に示すが、第１実施形態の図４同様の画像ｍ１、識別信号ｍ２が入力されると、非文字の画像である第２の画像信号ｍ５は、文字を除いた画像として出力される（点線は理解補助のためで、実際は生成されない）。文字色画像ｍ３−３は、文字‘Ａ’の領域処理中は‘Ａ’の色情報が出力され、文字‘Ｂ’の領域に入ると、‘Ｂ’の色情報が画像として出力される。
【００５９】
選択部６３は、指示信号ｍ８−５が‘０’なら文字色情報ｍ３−１と文字色情報ｍ３−２を文字情報ｍ３として出力し、指示信号ｍ８−５が‘１’なら文字色画像ｍ３−３を文字情報ｍ３として出力する。
【００６０】
第３画像圧縮部１８は図１２に示すように、ＪＰＥＧ２０００圧縮部５３で構成され、圧縮パラメータｍ８−３により、所定の圧縮パラメータが設定され、第３の圧縮コードｍ７−１を出力する。
【００６１】
図１３に高圧縮画像ファイルを構成するための文字と写真画像の取り扱い例を示す。構成方法毎に、画質や圧縮率に対して得失があるだけでなく、ファイル化するフォーマットの仕様で実現したい構成方法が選択可能かどうかがポイントとなる。
【００６２】
特徴が顕著な図１３（ａ）、（ｂ）を比較すると、
利点                          欠点
図１３（ａ）    ファイルサイズが小さい          グラデーション文字等は
（多値画像＋複数の２値画像）    表現できないか、文字が分割
図１３（ｂ）    文字色の多彩な表現              ファイルサイズが大きい
（文字色は多値画像で表現）      （２枚の多値画像＋２値画像）
これらを高圧縮ファイル化するには、
図１３（ａ）    背景画像に、透過と文字色の２値画像を貼り付ける
図１３（ｂ）    背景画像に、透過と文字の２値画像貼り付ける、
ただし文字色は前景画像の多値画像情報を利用する
例えば、ＰＤＦでは図１３（ａ）（ｂ）双方とも可能だが、ＸＰＳでは図１３（ａ）のみしか対応できないとする。
【００６３】
この場合、圧縮方式同様、どのような構成方法をとったかにより画質が変わる可能性がある一方、なるべく特徴を生かして機能を提供したい。
【００６４】
そこで、この実施形態ではフォーマット指示部１７を図１４のように構成する。指示信号ｍ８−５、指示信号ｍ８−６が追加され、ＰＤＦの低圧縮時の第２画像圧縮部１５に対する指示が変更された以外は第１実施形態と同様である。
【００６５】
すなわち、図１４（ａ）のコントロールパネルで、ＰＤＦの低圧縮が選択された時以外は、フォーマット変換部１６’で、第１実施形態と同じ図１３（ａ）の構成の高圧縮ＰＤＦファイルが生成される。
【００６６】
ＰＤＦで低圧縮が選択された場合は、画質を優先したいので、第２の圧縮にＪＰＥＧ２０００を選択するとともに、画像変換部１３’で文字色画像ｍ３−３を文字情報として出力して、第３画像圧縮部１８でやはりＪＰＥＧ２０００を使って圧縮する。
【００６７】
第１画像圧縮部１４では、第１の画像ｍ４を文字領域毎に分割することなく、一枚の画像として圧縮して第１の圧縮コードｍ６を得る。
【００６８】
フォーマット変換部１６’は、指示信号に従い、第１の圧縮コードｍ６、第２の圧縮コードｍ７、第３の圧縮コードｍ７−１を用いて２枚の多値画像と１枚の２値画像で構成された高圧縮ＰＤＦファイルを出力する。
【００６９】
ここで、低圧縮モードでは圧縮率より高画質が重要な位置付けなので、グラデーション文字等も綺麗に再現できる図１３（ｂ）の構成方法を選択し、さらに画質・圧縮率を向上するために非可逆圧縮にＪＰＥＧ２０００圧縮を用いる構成を取っている。
【００７０】
以上説明したように、本発明によれば高圧縮ファイルで用いる圧縮方式を、ファイルフォーマットに関わらず、複数のファイルフォーマットで共通に利用可能な圧縮方式とするので、ユーザを混乱させること無く高圧縮ファイルを生成する画像読取装置を提供することができる。また、高圧縮を指定した場合は、ファイルフォーマットに適した圧縮方式を選択することでファイルフォーマットの特徴を生かした高圧縮ファイルを生成する画像読取装置を提供することができる。
【００７１】
なお、本発明は上記実施形態に限定されるものではなく、この発明の趣旨に応じて当業者が想到する範囲で様々な変形例が可能なものであり、これらも本発明の範囲であることは言うまでもない。例えば、ファイルの構成方法や圧縮方式の選択ファイルフォーマット等は、上記した実施形態に限定されずに当業者が想到する範囲の変形例が可能である。
【先行技術文献】
【特許文献】
【００７２】
【特許文献１】特許２６１１０１２号公報
【特許文献２】特開２００２−７７６３１号公報
【特許文献３】特開２００１−７８０４９号公報
【特許文献４】特開２００５−２０２２７号公報
【特許文献５】特開平１１−６９１６４号公報
【非特許文献】
【００７３】
【非特許文献１】長谷川他：『高圧縮ＰＤＦ技術』 RICHO Technical Report No３０ P９３〜９７（Dec,２００４）
【非特許文献２】ＩＳＯ／ＩＥＣ１６４８５（ＭＲＣ）
【非特許文献３】XML Paper Specification Version １.０:http://www.microsoft.com/japan/whdc/ＸＰＳ/ＸＰＳspec.mspx
【非特許文献４】HD Photo Device Porting Kit １.０：http://www.microsoft.com/japan/whdc/ＸＰＳ/hdphotodpk.mspx
【図１】
2010028798.tif 000003
【図２】
2010028798.tif 000004
【図３】
2010028798.tif 000005
【図４】
2010028798.tif 000006
【図５】
2010028798.tif 000007
【図６】
2010028798.tif 000008
【図７】
2010028798.tif 000009
【図８】
2010028798.tif 000010
【図９】
2010028798.tif 000011
【図１０】
2010028798.tif 000012
【図１１】
2010028798.tif 000013
【図１２】
2010028798.tif 000014
【図１３】
2010028798.tif 000015
【図１４】
2010028798.tif 000016